(57)【特許請求の範囲】
【請求項１】
縁部に蒸気抜き部の形成された電子レンジ用包装袋が箱体に納められた構造となる電子レンジ用箱入り包装袋であって、
前記箱体は、相互に対向する天面及び底面と、前記天面及び底面の縁に連なる側面とを有し、前記天面には、開放可能となるように蓋部が形成され、
前記包装袋は、２つ折りにされ、その２つ折りによる前記蒸気抜き部の形成された一方側部分が前記天面に対向するとともに他方側部分が前記底面に対向するように前記箱体に納められたことを特徴とする電子レンジ用箱入り包装袋。
【請求項２】
前記蓋部は、前記天面の前記側面との境界となるヒンジ部分を残して前記天面から切り離される構造となり、
２つ折りにされた前記包装袋は、その折曲がり部分が前記天面に形成された蓋部のヒンジ部分側に向くように前記箱体に納められたことを特徴とする請求項１記載の電子レンジ用箱入り包装袋。
【請求項３】
前記包装袋は、前記蒸気抜き部の形成された前記一方側部分が内圧上昇に伴って外方に突出するようになることを特徴とする請求項２記載の電子レンジ用箱入り包装袋。
【請求項４】
縁部に蒸気抜き部の形成された電子レンジ用の包装袋が箱体に納められた構造となる箱入り包装袋であって、
前記箱体は、相互に対向する天面及び底面と、前記天面及び底面の縁に連なる側面とを有し、前記天面には、開放可能となるように蓋部が形成され、
前記包装袋は、２つ折りにされ、その２つ折りによる前記蒸気抜き部の形成された一方側部分が内圧上昇に伴って外方に突出するようになり、前記蒸気抜きの形成された一方側部分が前記底面に対向するとともに他方側部分が前記天面に対向するように前記箱体に納められ、
２つ折りとなる前記包装袋の折曲がり部分が対向する前記箱体の側面には、内圧上昇により拡開した前記包装袋が通る切欠き領域を形成すべく除去可能な部分を有することを特徴とする電子レンジ用箱入り包装袋。
【発明の詳細な説明】
【技術分野】
【０００１】
本発明は、縁部に蒸気抜き部が形成されて電子レンジでの加熱が可能となるパウチ等の包装袋が箱体に収められた構造となる箱入り包装袋に関する。
【背景技術】
【０００２】
従来、電子レンジで加熱可能なパウチ（包装袋）が化粧箱（箱体）に納められた構造となる電子レンジ用箱入りパウチが提案されている（特許文献１参照）。この電子レンジ用箱入りパウチは、電子レンジ加熱パウチの納められた化粧箱の上面の剥離片を剥離して当該化粧箱を開封し、上面の前記剥離した部分に対向した下面側の部分を支点にして先端部分を回動させることにより、化粧箱に収納されたパウチの端部が露出するようになっている。そして、回動した先端部分が支持台のようになって傾斜した化粧箱にその端部が露出した状態で納められたパウチが電子レンジ内で加熱される。
【０００３】
このような電子レンジ用箱入りパウチによれば、化粧箱（箱体）からわざわざパウチを取り出すことなく、化粧箱を開封してその先端部分を回動させるだけで、パウチを電子レンジにて加熱することができるようになる。
【特許文献１】特開２００３−１７０９３０号公報
【発明の開示】
【発明が解決しようとする課題】
【０００４】
しかしながら、前述したような構造の従来の電子レンジ用箱入りパウチ（包装袋）では、化粧箱の先端部分を回動させる際にパウチがその先端部分の内側に引っ掛かってしまい、パウチが加熱可能な状態となるようにその化粧箱をセットし難い。
【０００５】
本発明は、このような事情に鑑みてなされたもので、より容易に電子レンジにて加熱することができるような電子レンジ用箱入り包装袋を提供する。
【課題を解決するための手段】
【０００６】
本発明に係る電子レンジ用箱入り包装袋は、縁部に蒸気抜き部の形成された電子レンジ用包装袋が箱体に納められた構造となる電子レンジ用箱入り包装袋であって、前記箱体は、相互に対向する天面及び底面と、前記天面及び底面の縁に連なる側面とを有し、前記天面には、開放可能となるように蓋部が形成され、前記包装袋は、２つ折りにされ、その２つ折りによる前記蒸気抜き部の形成された一方側部分が前記天面に対向するとともに他方側部分が前記底面に対向するように前記箱体に納められた構成となる。
【０００７】
このような構成により、天面に形成された蓋部を開放した状態の箱体に納められた包装袋を電子レンジにて加熱すると、包装袋の内容物が加熱されてその内圧が上昇し、２つ折りにされた包装袋がその内圧上昇により拡開していく。その過程で、２つ折りにより天面側に向いていた蒸気抜き部の形成された包装袋の一方側部分が箱体の側面縁に乗り上げる状態になる。そして、包装袋の内圧が所定圧力を越えると、側面縁に乗り上げて比較的高い位置にある蒸気抜き部から蒸気が噴出し、包装袋の過度の内圧上昇を防止することができる。また、その蒸気抜き部が比較的高い位置に維持されることから、その蒸気抜き部から内容物が漏れることも防止することができる。
【０００８】
また、本発明に係る電子レンジ用箱入り包装袋において、前記蓋部は、前記天面の前記側面との境界となるヒンジ部分を残して前記天面から切り離される構造となり、２つ折りにされた前記包装袋は、その折曲がり部分が前記天面に形成された蓋部のヒンジ部分側に向くように前記箱体に納められた構成とすることができる。
【０００９】
このような構成により、天面と側面との境界をヒンジ部分として蓋部が開放される。この状態で、箱体に納められた包装袋を電子レンジで加熱すると、２つ折りにされた包装袋がその内圧上昇により拡開していき、天面側に向いていた蒸気抜き部の形成された包装袋の一方側が箱体の側面から更にヒンジ部を介して続く蓋部に乗り上げる状態となる。内圧上昇により拡開した包装袋の蒸気抜き部の形成された部分が蓋部にて支えられるようになるので、加熱中に蒸気抜き部が比較的高い位置となる包装袋の姿勢をより安定的に維持することができるようになる
【００１０】
更に、本発明に係る電子レンジ用箱入り包装袋において、前記包装袋は、前記蒸気抜き部の形成された前記一方側部分が内圧上昇に伴って外方に突出するようになる構成とすることができる。
【００１１】
このような構成により、拡開した包装袋の蒸気抜き部の形成された部分が蓋部に乗りあげた状態で、更に、その蒸気抜きの部の形成された部分が外方に突出するようになるので、包装袋の蒸気抜き部の形成された部分を更に高い位置に維持させることができるようになる。
【００１２】
また、本発明に係る電子レンジ用箱入り包装袋は、縁部に蒸気抜き部の形成された電子レンジ用の包装袋が箱体に納められた構造となる箱入り包装袋であって、前記箱体は、相互に対向する天面及び底面と、前記天面及び底面の縁に連なる側面とを有し、前記天面には、開放可能となるように蓋部が形成され、前記包装袋は、２つ折りにされ、その２つ折りによる前記蒸気抜き部の形成された一方側部分が内圧上昇に伴って外方に突出するようになり、前記蒸気抜きの形成された一方側部分が前記底面に対向するとともに他方側部分が前記天面に対向するように前記箱体に納められ、２つ折りとなる前記包装袋の折曲がり部分が対向する前記箱体の側面には、内圧上昇により拡開した前記包装袋が通る切欠き領域を形成すべく除去可能な部分を有する構成となる。
【００１３】
このような構成により、天面に形成された蓋部が開放されるとともに、側面に切欠き領域を形成すべく側面の当該切欠き領域に対応した部分が除去される。蓋部が開放されて側面に切欠き領域が形成された箱体に納められた包装袋を電子レンジにて加熱すると、包装袋の内容物が加熱されて内圧が上昇し、２つ折りにされた包装袋がその内圧上昇に伴って拡開していく。その過程で、２つ折りにより蒸気抜き部の形成された一方側部分が箱体の底面上にあって、天面側を向いた他方側部分が側面に形成された切欠き領域を通して箱体の外側に出る。この状態での内圧上昇によって、包装袋の蒸気抜き部の形成された部分が外方に突出して、拡開した包装袋がその突出した部分に支持されて傾斜した状態となる。そして、包装袋が傾斜して比較的高い位置に維持された蒸気抜き部から蒸気が噴出して包装袋の過度の内圧上昇が防止され、また、内容物が漏れることも防止される。
【発明の効果】
【００１４】
本発明に係る電子レンジ用箱入り包装袋によれば、箱体の天面に形成された蓋部を開放し、その状態のまま包装袋が納められた箱体を電子レンジにセットしてその電子レンジを動作させるだけで、２つ折となった包装袋が内圧上昇によって拡開して、蒸気抜き部が比較的高い位置に維持されつつ当該包装袋が加熱されるようになるので、容易に電子レンジによる加熱が可能となる。
また、包装袋が２つ折りにして箱体に納められているので、収納効率が高まってコンパクトにすることができ、店頭に多数陳列できる、持ち運びし易い、等の効果がある。
【発明を実施するための最良の形態】
【００１５】
以下、本発明の実施の形態について図面を用いて説明する。
【００１６】
本発明の第１の実施の形態に係る電子レンジ用箱入りパウチ（包装袋）について、図１乃至図６を参照して説明する。
【００１７】
この電子レンジ用箱入りパウチは、図１（ａ）に示すように、箱体２０に電子レンジ用のパウチ１０が第１パウチ部分１０ａと第２パウチ部分１０ｂに分かれるように２つ折りにされた状態で納められている。箱体２０は、図１（ａ）とともに図２（ａ）、（ｂ）に示すように、相互に対向する天面２１及び底面２２と、天面２１及び底面２２の縁に連なった側面（後側面２３ａ、前側面２３ｂ、右側面２３ｃ、左側面２３ｄ）とを有し、扁平直方体形状となっている。天面２１には、左右両側端部に後側面２３ａとの境界から前方に延びるミシン目２５ａ、２５ｂが形成されており、これらミシン目２５ａ、２５ｂは、天面２１から前側面２３ｂに回り込むようにして延びている。これらミシン目２５ａ、２５ｂによってそれらに沿って切り裂き易くなり、天面２１のミシン目２５ａ、２５ｂに挟まれた部分が蓋部２１１となる。
【００１８】
パウチ１０は、基本的に平袋タイプであって、その縁部に蒸気抜き部１１が形成されている。この蒸気抜き部１１は、例えば、特開２００２−２４９１７６号公報に開示されるように、孔の周りが剥離し易い状態でシールされた構造（弱化部）となっており、パウチ１０の内圧が限界を越えると、その蒸気抜き部１１から蒸気が噴出するようになっている。また、２つ折りにされたパウチ１０の蒸気抜き部１１が形成された第１パウチ部分１０ａには、折返し部１２が形成されている。この折返し部１２は、パウチ１０がその内圧上昇によって膨張した際に、外方に突出するようになっている。なお、この折返し部１２の詳細な構造は、特開２００６−６２６７２号公報に開示される。
【００１９】
２つ折りされたパウチ１０は、蒸気抜き部１１の形成された第１パウチ部分１０ａが天面２１に対向するとともに他方の第２パウチ部分１０ｂが底面２２に対向し、また、２つ折りの折曲がり部分（第１パウチ部分１０ａと第２パウチ部分の境界）が天面２１に形成された蓋部２１１の後側面２３ａとの境界のヒンジ部分２１１ａに向くように、箱体２０内に納められている。
【００２０】
このような構造の電子レンジ用箱入りパウチを加熱する場合、まず、箱体２０の天面２１及び前側面２３ｂをミシン目２５ａ、２５ｂに沿って切り、天面２１と後側面２３ａとの境界となるヒンジ部分２１１ａを残して、蓋体２１１を切り離す。これにより、図３及び図４に示すように、蓋部２１１が開放して天面２１に大きな開口部分２１２が形成される。そして、ヒンジ部分２１１ａによって箱体２０の後側面２３ａにつながっている蓋部２１１は、そのヒンジ部分２１１ａから傾斜して立ち上がった状態を維持する。
【００２１】
なお、図３及び図４に示すように、パウチ１０には、その縁部に３つの蒸気抜き部１１ａ、１１ｂ、１１ｃが形成されているが、前述した図１（ａ）は、その３つの蒸気抜き部１１ａ、１１ｂ、１１ｃを総括的に単一の蒸気抜き部１１にて表しているものである（図１（ｂ）、図１（ｃ）も同様）。
【００２２】
このように蓋部２１１を開放した状態で２つ折りのパウチ１０が納められた箱体２０を電子レンジ内にセットして、電子レンジを動作させると、パウチ１０の内容物が加熱されていく。その過程で、発生する蒸気によって内圧が上昇し、パウチ１０は、図１（ｂ）に示すように、膨張して拡開し、箱体２０の天面２１に形成された開口部分２１２から徐々にせり上がっていく。その際、折返し部１２も膨張して徐々に外方に突出していく。
【００２３】
更に、パウチ１０の内容物が加熱され、発生する蒸気によって内圧が上昇すると、図１（ｃ）、図５及び図６に示すように、開口部分２１２からせり出したパウチ１０の蒸気抜き部１１（１１ａ、１１ｂ、１１ｃ）の形成された部分（第１パウチ部分１０ａ）が蓋部２１１に乗り上げた状態となる。このとき、突出した状態となる折返し部１２の先端が蓋部２１１に当接してパウチ１０の蒸気抜き部１１（１１ａ、１１ｂ、１１ｃ）が形成された部分（第１パウチ部分１０ａ）を支持することから、蒸気抜き部１１（１１ａ、１１ｂ、１１ｃ）がより高い位置に維持された状態となる。そして、パウチ１０の内圧が限界を越えると、高い位置に維持された蒸気抜き部１１（１１ａ、１１ｂ、１１ｃ）から蒸気が噴出して、パウチ１０の過度の内圧上昇が防止される。
【００２４】
前述したような電子レンジ用箱入りパウチによれば、箱体２０の天面２１に形成された蓋部２１１を開放し、その状態のままパウチ１０の納められた箱体２０を電子レンジにセットしてその電子レンジを動作させるだけで、２つ折りとなったパウチ１０が内圧上昇によって膨張及び拡開して、蒸気抜き部１１（１１ａ、１１ｂ、１１ｃ）が比較的高い位置に維持されつつパウチ１０が加熱されるようになるので、容易に電子レンジによる加熱が可能となる。
【００２５】
特に、拡開したパウチ１０の蒸気抜き部１１（１１ａ、１１ｂ、１１ｃ）の形成された部分がヒンジ部分２１１ａから傾斜して立ち上がった状態となる蓋部２１１にて支えられるようになるので、また、それに加えて、外方に突出する折返し部１２が蒸気抜き１１（１１ａ、１１ｂ、１１ｃ）の形成された部分（第１パウチ部分１０ａ）を蓋部２１１上にて支持することになるので、蒸気抜き部１１（１１ａ、１１ｂ、１１ｃ）をより高い位置に維持することができ、その蒸気抜き部１１（１１ａ、１１ｂ、１１ｃ）から、内容物の漏れを確実に防止しつつ、蒸気を噴出させることができるようになる。
【００２６】
また、前述したような電子レンジ用箱入りパウチは、パウチ１０が２つ折りにして箱体２０に納められているので、収納効率が高まってコンパクトにすることができ、店頭に多数陳列できる、持ち運びし易い、等の効果がある。
【００２７】
なお、蓋部２１１は、天面２１から完全に切り取るようにすることもできる。また、２つ折りとなるパウチ１０をその折曲がり部分が蓋部２１１のヒンジ部分２１１ａと逆側に向くように箱体２０に納めるようにしてもよい。これらの場合、パウチ１０がその内圧上昇により拡開していく過程で、蒸気抜き部１１（１１ａ、１１ｂ、１１ｃ）の形成された部分（第１パウチ部分１０ａ）は、箱体２０における側面（前者の場合、後側面２３ａ、後者の場合、前側面２３ｂ）の縁に乗り上がる状態となるので、蒸気抜き部１１（１１ａ、１１ｂ、１１ｃ）を比較的高い位置に維持した状態で、パウチ１０の加熱を行うことができるようになる。
【００２８】
また、前述した例では、パウチ１０の蒸気抜き部１１（１１ａ、１１ｂ、１１ｃ）の形成された部分（第１パウチ部分１０ａ）に、外方に突出する折返し部１２を形成していたが、特に、このように外方に突出する折返し部１２を形成しなくてもよい。この場合であっても、２つ折りにされたパウチ１０は、膨張及び拡開する際に、蒸気抜き部１１（１１ａ、１１ｂ、１１ｃ）の形成された部分が蓋部２１１のヒンジ部分２１１ａから蓋部２１１に乗り上がっていくようになるので、蒸気抜き部１１（１１ａ、１１ｂ、１１ｃ）を比較的高い位置に維持させた状態でパウチ１０の加熱を行うことができるようになる。
【００２９】
次に、本発明の第２の実施の形態に係る電子レンジ用箱入りパウチ（包装袋）について、図７及び図８を参照して説明する。この第２の実施の形態に係る電子レンジ用箱入りパウチは、電子レンジにて加熱した際に箱体２０の蓋部２１３と逆側にパウチ１０が拡開していく点で、前述した例と相違する。
【００３０】
この電子レンジ用箱入りパウチは、図７（ａ）に示すように、２つ折りとなったパウチ１０が、前述した例（図１（ａ）参照）とは逆に、蒸気抜き部１１の形成された第１パウチ部分１０ａが底面２２に対向するとともに他方の第２パウチ部分１０ｂが天面２１に対向するように箱体２０内に納められている。そして、蒸気抜き部１１の形成された第１パウチ部分１０ａに折返し部１２が形成され、その折返し部１２が箱体２０の底面２２に押し付けられた状態となっている。
【００３１】
箱体２０は、図７（ａ）とともに図８（ａ）、（ｂ）に示すように、相互に対向する天面２１及び底面２２と、天面２１及び底面２２の縁に連なった側面（後側面２３ａ、前側面２３ｂ、右側面２３ｃ、左側面２３ｄ）とを有し、扁平直方体形状となっている。天面２１及び前側面２３ｂにミシン目２６が形成されている。このミシン目２６は、天面２１の一方の側端部の後側面２３ａとの境界から前方に延びて前側面２３ｂに回りこみ、前側面２３ｂの下縁に沿って延びて、更に、天面２１の他方の側端部に回りこんで後側面２３ａに至っている。天面２１の左右両側端部に形成されたミシン目２６にて挟まれた部分が蓋部２１３となり、蓋部２１３と後側面２３ａとの境界がヒンジ部分２１３ａとなる。また、前側面２３ｂに形成されたミシン目２６にて囲まれた部分が除去部２１３ｂとなる。
【００３２】
前述したように２つ折りとなって箱体２０に納められたパウチ１０は、前述した例（図１（ａ）参照）と逆に折曲がり部分（第１パウチ部分１０ａと第２パウチ部分の境界）が蓋部２１３のヒンジ部分２１３ａと逆側の除去部２１３ｂに向き、蒸気抜き部１１が蓋部２１３のヒンジ部分２１３ａに向いている。
【００３３】
このような構造の電子レンジ用箱入りパウチを加熱する場合、まず、箱体２０の天面２１及び前側面２３ｂをミシン目２６に沿って切り、前側面２３ｂから除去部２１３ｂを除去するとともに、天面２１と後側面２３ａとの境界となるヒンジ部分２１３ａを残して蓋部２１３を切離す。これにより、図８に示すように（図８ではパウチ１０は省略されている）、蓋部２１３が開放して天面２１に大きな開口部分２１４が形成されるとともに、前側面２３ｂに除去部２１３ｂが除かれた跡となる切欠き領域２１５が形成される。
【００３４】
２つ折りのパウチ１０が納められた箱体２０を、蓋部２１３が開放するとともに前側面２３ｂに切欠き領域２１５が形成された状態で、電子レンジ内にセットし、電子レンジを動作させると、パウチ１０の内容物が加熱されていく。その過程で、発生する蒸気によって内圧が上昇し、パウチ１０は、図７（ｂ）に示すように、膨張して箱体２０の前側面２３ｂに向けて拡開し、パウチ１０の蒸気抜き部１２の形成された部分（第１パウチ部分１０ａ）と逆側の部分（第２パウチ部分１０ｂ）が箱体２０の天面２１に形成された開口部分２１４から徐々にせり上がっていく。その際、箱体２０の底面２２に接している折返し部１２も膨張して徐々に外方に突出していく。この折返し部１２の突出に伴ってパウチ１０の蒸気抜き部１２の形成された側の端部が徐々に持ち上がっていく。
【００３５】
更に、パウチ１０の内容物が加熱され、発生する蒸気によって内圧が上昇すると、図７（ｃ）に示すように、パウチ１０の蒸気抜き部１２の形成された部分（第１パウチ部分１０ａ）と逆側の部分（第２パウチ部分１０ｂ）が箱体２０の前側面２３ｂに形成された切欠き領域２１５（図７（ｂ）参照）を通して箱体２０の外部に出る。その結果、膨張したパウチ１０が、折返し部１２の突出によって蒸気抜き部１２の形成された側の端部が高くなって傾斜して箱体２０の内部からその外部に横たわった状態となる。そして、パウチ１０の内圧が限界を越えると、比較的高い位置に維持された蒸気抜き部１１から蒸気が噴出して、パウチ１０の過度の内圧上昇が防止される。
【００３６】
このような電子レンジ用箱入りパウチによれば、箱体２０の前側面２３ｂに形成された除去部２１３ｂを除去しつつ天面２１に形成された蓋部２１３を開放し、その状態のままパウチの納められた箱体２０を電子レンジにセットしてその電子レンジを動作させるだけで、２つ折りとなったパウチ１０が内圧上昇によって膨張及び拡開して、折返し部１２の突出によって、蒸気抜き部１１が比較的高い位置に維持されるように傾斜した状態でパウチ１０が加熱されるようになるので、容易に電子レンジによる加熱が可能となる。
【００３７】
なお、前述した例では、除去部２１３ｂが蓋部２１３と一体となっていたが、除去部１２３ｂは、蓋部２１３とは別体となって個別的に除去されるものであってもよい。また、蓋部２１３も天面２１から完全に切り取るようにすることもできる。
【００３８】
除去部２１３ｂの除去によって前側面２３ｂに形成される切欠き領域２１５は、膨張したパウチ１０が箱体２０の外部に出ることを妨げなければ、特にその大きさは制限されない。具体的には、折返し部１２の突出によって傾斜するパウチ１０が、前側面２３ｂの縁に引っ掛からないように切欠き領域２１５（除去部２１３ｂ）を設定することが好ましい。
【産業上の利用可能性】
【００３９】
本発明に係る電子レンジ用箱入り包装袋は、より容易に電子レンジにて加熱することができるという効果を有し、縁部に蒸気抜き部が形成されて電子レンジでの加熱が可能となるパウチ等の包装袋が箱体に収められた構造となる箱入り包装袋として有用である。
【図面の簡単な説明】
【００４０】
【図１】本発明の第１の実施の形態に係る電子レンジ用箱入りパウチ（包装袋）の構造を示す図（ａ）と、箱体を開封して電子レンジにて加熱した際のパウチの基本的な動きを示す図（ｂ）、（ｃ）である。
【図２】電子レンジ用箱入りパウチの箱体を側方側から見た斜視図（ａ）と、その箱体を前方側から見た斜視図（ｂ）である。
【図３】箱体を開封した状態の電子レンジ用箱入りパウチを側方側から見た斜視図である。
【図４】箱体を開封した状態の電子レンジ用箱入りパウチを前方側から見た斜視図である。
【図５】電子レンジで加熱されたパウチが拡開して箱体内からせり出した状態の電子レンジ用箱入りパウチを側方側から見た斜視図である。
【図６】電子レンジで加熱されたパウチが拡開して箱体内からせりだした状態の電子レンジ用箱入りパウチを前方側から見た斜視図である。
【図７】本発明の第２の実施の形態に係る電子レンジ用箱入りパウチ（包装袋）の構造を示す図（ａ）と、箱体を開封して電子レンジにて加熱した際のパウチの基本的な動きを示す図（ｂ）、（ｃ）である。
【図８】電子レンジ用箱入りパウチの箱体を側方側から見た斜視図（ａ）と、開封された箱体を前方側から見た斜視図（ｂ）である。
【符号の説明】
【００４１】
１０  パウチ
１０ａ  第１パウチ部分
１０ｂ  第２パウチ部分
１１、１１ａ、１１ｂ、１１ｂ  蒸気抜き部
１２  折返し部
２０  箱体
２１  天面
２１１  蓋部
２１１ａ  ヒンジ部分
２１２  開口部分
２２  底面
２３  側面
２５ａ、２５ｂ、ミシン目
２１４  開口部分
２１３  蓋部
２１３ａ  ヒンジ部分
２１３ｂ  除去部
２１５  切欠き領域
２６  ミシン目
【図１】
0004962719.tif 000002
【図２】
0004962719.tif 000003
【図３】
0004962719.tif 000004
【図４】
0004962719.tif 000005
【図５】
0004962719.tif 000006
【図６】
0004962719.tif 000007
【図７】
0004962719.tif 000008
【図８】
0004962719.tif 000009